(57)【要約】【課題】  本発明は、携帯電話機から出力されるオーディオ信号をオーディオ機器の入力感度に応じた電圧に増幅することができる接続装置を提供することを課題とする。【解決手段】  携帯電話機１０に接続した入力ケーブル３０からオーディオ信号と直流電源とを入力し、増幅部４０によって入力したオーディオ信号を入力した直流電源を用いて増幅し、オーディオ機器２０に接続した出力ケーブル５０から増幅したオーディオ信号を出力する。また、増幅部４０には、入力されたオーディオ信号をアンプ４３によって増幅して出力するＢＯＯＳＴモードと、入力されたオーディオ信号を加工せずに直接出力するＰＡＳＳモードとを切り換える切り換えスイッチ４１が設けられている。【選択図】        図２
2006270617.tif 000002
【特許請求の範囲】
【請求項１】
オーディオ信号を再生する機能を有する携帯電話機と、入力されたオーディオ信号を音声出力もしくは記録媒体に記録するオーディオ機器とを接続する接続装置であって、
前記携帯電話機で再生されたオーディオ信号と前記携帯電話機から供給される直流電源とを入力する入力ケーブルと、
該入力ケーブルから入力されたオーディオ信号を前記入力ケーブルから入力された前記直流電源を用いて増幅する増幅手段と、
該増幅手段によって増幅されたオーディオ信号を前記オーディオ機器に出力する出力ケーブルとを具備することを特徴とする接続装置。
【請求項２】
オーディオ信号を再生する機能を有する携帯電話機と、入力されたオーディオ信号を音声出力もしくは記録媒体に記録するオーディオ機器とを接続する接続装置であって、
前記携帯電話機で再生されたオーディオ信号を入力する入力ケーブルと、
該入力ケーブルから入力されたオーディオ信号を増幅する増幅手段と、
該増幅手段によって増幅されたオーディオ信号を前記オーディオ機器に出力すると共に、前記オーディオ機器から供給される直流電源を入力する出力ケーブルとを具備し、
前記増幅手段は、前記オーディオ機器と接続する出力ケーブルから入力された前記直流電源を用いてオーディオ信号を増幅することを特徴とする接続装置。
【請求項３】
入力された前記直流電源の電圧を昇圧する昇圧手段を具備し、
前記増幅手段は、前記昇圧手段によって昇圧された前記直流電源を用いて前記入力ケーブルから入力されたオーディオ信号を増幅することを特徴とする請求項１又は２記載の接続装置。
【請求項４】
入力されたオーディオ信号を前記増幅手段によって増幅して出力するＢＯＯＳＴモードと、入力されたオーディオ信号を加工せずに直接出力するＰＡＳＳモードとを切り換える切り換え手段を具備することを特徴とする請求項１乃至３のいずれかに記載の接続装置。
【請求項５】
前記出力ケーブルから出力されるオーディオ信号の増幅率を調整する出力電圧調整手段を具備することを特徴とする請求項１乃至４のいずれかに記載の接続装置。
【発明の詳細な説明】
【技術分野】
【０００１】
本発明は、携帯電話機とオーディオ機器とを接続する接続装置に関し、特にオーディオ信号を再生する機能を有する携帯電話機と、入力されたオーディオ信号を音声出力もしくは記録媒体に記録するオーディオ機器とを接続する接続装置に関する。
【背景技術】
【０００２】
近年、通信機能を有する携帯電話機の多機能化が進み、オーディオ信号を再生する機能を有する携帯電話機によって音楽を楽しむ需要も増えている（例えば、特許文献１参照）。
【０００３】
しかしながら、携帯電話機での音楽の聴取は、一般的に携帯電話機に直接接続するイヤフォンを用いることが前提となっているため、携帯電話機から出力されるオーディオ信号は、小電圧となっている。
【０００４】
従って、従来技術では、携帯電話機と一般的なアナログ入力端子を有するオーディオ機器とを接続して音楽を楽しむ場合には、オーディオ機器の入力感度に対しては携帯電話機の出力が小電圧となっているため、オーディオ機器で音声出力される音声レベルが非常に低くなってしまうと共に、オーディオ機器で記録媒体に記録する場合には、レベルが低すぎてダイナミック・レンジやＳ／Ｎ比が充分にとれない記録しかできないという問題点があった。
【特許文献１】特開２００４−７２４９８号公報
【発明の開示】
【発明が解決しようとする課題】
【０００５】
本発明は斯かる問題点に鑑みてなされたものであり、その目的とするところは、携帯電話機から出力されるオーディオ信号をオーディオ機器の入力感度に応じた電圧に増幅することができる接続装置を提供する点にある。
【課題を解決するための手段】
【０００６】
本発明は上記課題を解決すべく、以下に掲げる構成とした。
本発明の接続装置は、オーディオ信号を再生する機能を有する携帯電話機と、入力されたオーディオ信号を音声出力もしくは記録媒体に記録するオーディオ機器とを接続する接続装置であって、前記携帯電話機で再生されたオーディオ信号と前記携帯電話機から供給される直流電源とを入力する入力ケーブルと、該入力ケーブルから入力されたオーディオ信号を前記入力ケーブルから入力された前記直流電源を用いて増幅する増幅手段と、該増幅手段によって増幅されたオーディオ信号を前記オーディオ機器に出力する出力ケーブルとを具備することを特徴とする。
【０００７】
また、本発明の接続装置は、オーディオ信号を再生する機能を有する携帯電話機と、入力されたオーディオ信号を音声出力もしくは記録媒体に記録するオーディオ機器とを接続する接続装置であって、前記携帯電話機で再生されたオーディオ信号を入力する入力ケーブルと、該入力ケーブルから入力されたオーディオ信号を増幅する増幅手段と、該増幅手段によって増幅されたオーディオ信号を前記オーディオ機器に出力すると共に、前記オーディオ機器から供給される直流電源を入力する出力ケーブルとを具備し、前記増幅手段は、前記オーディオ機器と接続する出力ケーブルから入力された前記直流電源を用いてオーディオ信号を増幅することを特徴とする。
【０００８】
さらに、本発明の接続装置は、前記入力ケーブルから入力された前記直流電源の電圧を昇圧する昇圧手段を具備し、前記増幅手段は、前記昇圧手段によって昇圧された前記直流電源を用いて前記入力ケーブルから入力されたオーディオ信号を増幅することを特徴とする。
【０００９】
さらに、本発明の接続装置は、入力されたオーディオ信号を前記増幅手段によって増幅して出力するＢＯＯＳＴモードと、入力されたオーディオ信号を加工せずに直接出力するＰＡＳＳモードとを切り換える切り換え手段を具備することを特徴とする。
【００１０】
さらに、本発明の接続装置は、前記出力ケーブルから出力されるオーディオ信号の増幅率を調整する出力電圧調整手段を具備することを特徴とする。
【発明の効果】
【００１１】
本発明の接続装置は、携帯電話機に接続した入力ケーブルからオーディオ信号と直流電源とを入力し、入力したオーディオ信号を入力した直流電源を用いて増幅し、オーディオ機器に接続した出力ケーブルから増幅したオーディオ信号を出力するように構成することにより、携帯電話機から出力されるオーディオ信号をオーディオ機器の入力感度に応じた電圧に増幅することができ、オーディオ機器において、適切な音声レベルで音声出力することができると共に、ダイナミック・レンジやＳ／Ｎ比を充分にとって記録を行うことができるという効果を奏する。
【発明を実施するための最良の形態】
【００１２】
以下、本発明の実施の形態を図面に基づいて詳細に説明する。
【００１３】
（第１の実施の形態）
図１は、本発明に係る接続装置の第１の実施の形態の外観構成を示す外観図であり、図２は、図１に示す増幅部の構成を示すブロック図である。
【００１４】
第１の実施の形態は、オーディオ信号を再生する機能を有する携帯電話機１０と、入力されたオーディオ信号を音声出力および記録する機能を有するオーディオ機器２０とを接続する接続装置であり、図１を参照すると、携帯電話機１０に接続される入力ケーブル３０と、入力ケーブル３０に接続された増幅部４０と、増幅部４０とオーディオ機器２０とを接続する出力ケーブル５０とからなる。
【００１５】
携帯電話機１０は、通信ネットワークを介して他の携帯電話と通話する機能を有すると共に、通信ネットワークやパソコンから楽曲データを取り込んで記憶する機能と、記憶した楽曲データを再生してオーディオ信号を出力する機能と、外部に直流電源を供給する機能とを有し、オーディオ信号のアナログ出力端子と、直流電源の電源端子とが設けられている。なお、携帯電話機１０におけるオーディオ信号の出力は、オーディオ機器２０の入力感度に対して小電圧となっている。
【００１６】
オーディオ機器２０は、アナログ入力端子を有する例えばＭＤコンポやスピーカシステムであり、入力されたオーディオ信号を音声出力する機能と、入力されたオーディオ信号をＭＤ等の記録媒体に記録する機能を有する。
【００１７】
入力ケーブル３０は、携帯電話機１０のアナログ出力端子および電源端子と接続され、図２を参照すると、左右のオーディオ信号と、直流電源とを増幅部４０に入力すると共に、携帯電話機１０のＧＮＤと、増幅部４０のＧＮＤとを接続する。
【００１８】
増幅部４０は、図１および図２を参照すると、左右のオーディオ信号に対応してそれぞれ設けられている一対の切り換えスイッチ４１、ボリューム４２およびアンプ４３と、入力された直流電源を昇圧するレギュレータ等の昇圧部４４とからなる。
【００１９】
切り換えスイッチ４１は、入力されたオーディオ信号を増幅して出力するＢＯＯＳＴモードと、入力されたオーディオ信号を加工せずに直接出力するＰＡＳＳモードとを切り換えるスイッチであり、図２に示す例では、ｂ接点に接続した場合には、ＢＯＯＳＴモードに設定される。ｐ接点に接続した場合には、ＰＡＳＳモードに設定される。
【００２０】
ボリューム４２は、切り換えスイッチ４１がＢＯＯＳＴモードに設定されている場合に、入力ケーブル３０から入力されたオーディオ信号の電圧を調整する電圧調整手段である。
【００２１】
アンプ４３は、昇圧部４４によって昇圧された直流電源を用いてボリューム４２によって調整されたオーディオ信号を増幅する増幅手段である。従って、ボリューム４２は、切り換えスイッチ４１がＢＯＯＳＴモードに設定されている場合に、出力ケーブル５０から出力されるオーディオ信号の増幅率を調整する増幅率調整手段として機能する。
【００２２】
出力ケーブル５０は、オーディオ機器２０のアナログ入力端子と接続され、図２を参照すると、切り換えスイッチ４１がＢＯＯＳＴモードに設定されている場合には、アンプ４３によって増幅された左右のオーディオ信号をオーディオ機器２０に出力し、切り換えスイッチ４１がＰＡＳＳモードに設定されている場合には、携帯電話機１０から入力された左右のオーディオ信号を加工することなくオーディオ機器２０に出力する。
【００２３】
以上説明したように、第１の実施の形態によれば、携帯電話機１０に接続した入力ケーブル３０からオーディオ信号と直流電源とを入力し、増幅部４０によって入力したオーディオ信号を入力した直流電源を用いて増幅し、オーディオ機器２０に接続した出力ケーブル５０から増幅したオーディオ信号を出力するように構成することにより、携帯電話機１０から出力されるオーディオ信号をオーディオ機器２０の入力感度に応じた電圧に増幅することができ、オーディオ機器２０において、適切な音声レベルで音声出力することができると共に、ダイナミック・レンジやＳ／Ｎ比を充分にとって記録を行うことができるという効果を奏する。
【００２４】
なお、第１の実施の形態においては、携帯電話機１０から直流電源の供給を受けるように構成したが、直流電源を供給する機能を有するオーディオ機器２０に出力ケーブル５０を接続する場合には、オーディオ機器２０から供給される直流電源を出力ケーブル５０から昇圧部４４に入力するようにしても良い。
【００２５】
（第２の実施の形態）
図３は、本発明に係る接続装置の第２の実施の形態の外観構成を示す外観図であり、図４は、図３に示す選択スイッチに割り当てられた機能を示す図である。
【００２６】
第２の実施の形態の増幅部６０には、図３を参照すると、選択スイッチ６１が設けられている。選択スイッチ６１は、入力された左右のオーディオ信号の増幅率を選択するスイッチであり、携帯電話機１０の種類に応じていずれかのスイッチを選択できるように構成されている。すなわち、携帯電話機１０には、様々な種類があり、出力されるオーディオ信号の電圧値にバラツキがあると共に、直流電源の供給を行う機能を有していないものがあるため、入力ケーブル３０を接続する対象の携帯電話機１０の種類に応じて、予め複数の増幅率が設定されている。
【００２７】
第２の実施の形態では、図４に示すように、携帯電話機１０の種類Ａ〜Ｄに応じたそれぞれの増幅率が予め設定されており選択スイッチ６１によって種類Ａ〜Ｃが選択された場合には、切り換えスイッチ４１がｂ接点に接続されて、ＢＯＯＳＴモードに設定されると共に、ボリューム４２の値が種類Ａ〜Ｃ毎に異なる値に調整されるようになっている。また、選択スイッチ６１によって種類Ｄが選択された場合には、切り換えスイッチ４１がｐ接点に接続されて、ＰＡＳＳモードに設定される。
【００２８】
以上説明したように、第２の実施の形態によれば、入力ケーブル３０を接続した携帯電話機１０の種類に応じ、選択スイッチ６１によって予め設定されている複数の増幅率のいずれかを選択するように構成することにより、入力ケーブル３０を接続した携帯電話機１０の種類に応じた適切な増幅率を簡単に設定することができるという効果を奏する。
【００２９】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３０】
【図１】本発明に係る接続装置の第１の実施の形態の外観構成を示す外観図である。
【図２】図１に示す増幅部の構成を示すブロック図である。
【図３】本発明に係る接続装置の第２の実施の形態の外観構成を示す外観図である。
【図４】図３に示す選択スイッチに割り当てられた機能を示す図である。
【符号の説明】
【００３１】
１０  携帯電話機
２０  オーディオ機器
３０  入力ケーブル
４０  増幅部（第１の実施の形態）
４１  切り換えスイッチ
４２  ボリューム
４３  アンプ
４４  昇圧部
５０  出力ケーブル
６０  増幅部（第２の実施の形態）
６１  選択スイッチ
【図１】
2006270617.tif 000003
【図２】
2006270617.tif 000004
【図３】
2006270617.tif 000005
【図４】
2006270617.tif 000006